(57)【特許請求の範囲】
【請求項１】
ノート型パソコンのような電子機器のキーボード部を有する第１筐体に対して、ディスプレイ部を有する第２筐体を上下方向へ開閉可能かつ水平方向へ回転可能に連結するものであって、前記第１筐体に離間対向させて設けた一対の取付部材間にベースフレームを上下方向へ回転可能に取り付ける開閉用ヒンジと、前記ベースフレームの中央部に前記第２筐体を支持する支持部材を水平方向へ回転可能に取り付ける回転用ヒンジと、前記開閉用ヒンジの動作角度により前記回転用ヒンジの動作を規制するリンクブロックとから成り、このリンクブロックと前記開閉用ヒンジのヒンジシャフトを共に非回転に構成し、この非回転のヒンジシャフトと前記リンクブロックとの間を連結軸で連結したことを特徴とする、電子機器の２軸ヒンジ。
【請求項２】
前記開閉用ヒンジを軸ヒンジとチルトヒンジで構成したことを特徴とする、請求項１に記載の電子機器の２軸ヒンジ。
【請求項３】
前記リンクブロックは、前記ベースフレームより垂下させた保持部材に当該保持部材が回転可能となるように取り付け、前記リンクブロックの回転を前記連結軸で規制するように構成したことを特徴とする、請求項１に記載の電子機器の２軸ヒンジ。
【請求項４】
前記リンクブロックを取り付ける開閉用ヒンジは、チルトヒンジであって、このチルトヒンジのチルトヒンジシャフトは、前記取付部材へ非回転に取り付けられていることを特徴とする、請求項１に記載の電子機器の２軸ヒンジ。
【発明の詳細な説明】
【技術分野】
【０００１】
本発明は、例えばノート型パソコンのような比較的大型のキーボード部を有する第１筐体とディスプレイ部を有する第２筐体とから成る電子機器において、前記第２筐体を第１筐体に対して上下方向へ開閉可能、かつ水平方向へ回転可能に取り付ける際に用いて好適な２軸ヒンジに関する。
【背景技術】
【０００２】
従来、携帯電話機のような小型の電子機器の２軸ヒンジとして、下記特許文献１に記載されたような、第１筐体に対して第２筐体を上下方向へ開閉させ、任意の開閉角度で停止保持できる開閉用ヒンジと、第２筐体の第１筐体に対する上下方向の所定の開閉角度で、開閉用ヒンジのヒンジシャフトに対して直交する方向へ第２筺体を第１筺体に対して回転させることのできる回転用ヒンジとを有しているものが公知である。
【先行技術文献】
【特許文献】
【０００３】
【特許文献１】特開２００７-１７７８２９号公報
【発明の概要】
【発明が解決しようとする課題】
【０００４】
上記特許文献１に記載された２軸ヒンジは、第１の筐体側に所定間隔を空けて一対の取付部材を取り付け、この取付部材に開閉用ヒンジを介して基本フレーム(ベースフレーム)を上下方向へ開閉可能に取り付け、この基本フレームに回転用ヒンジを介して第２筐体を支持する支持部材が水平方向へ回転可能に取り付けられている。そして、第２筐体の第１筐体に対する開閉用ヒンジを介しての上下方向の開閉角度によって、第２筐体を水平方向へ回転させる回転用ヒンジの動作を規制する必要があるために、開閉用ヒンジと回転用ヒンジとの間にリンクブロックが設けてある。そのためこのリンクブロックを設けた側のベースフレーム(基本フレーム）の長さが短い。この構成は、第１筐体と第２筐体が携帯電話機のように小型の電子機器のものの場合には良いが、第１筐体と第２筐体が中型や大型のノート型パソコンなどの場合には、この小型の電子機器用のベースフレームで第２筐体を支持するには、安定性に欠けるという問題がある。そこで、このベースフレームの全体の長さを長くして、回転用ヒンジを設ける側のベースフレームを短くするということが考えられたが、このように構成すると、現状のままではベースフレームの回転用ヒンジを挟んだ左右の長さに長短が生じ、ベースフレームの剛性に差異が生じることから、第２筐体に回転用ヒンジのヒンジシャフトを挟んで捩じれが発生するというおそれが生じた。
【０００５】
本願の目的は、第１筐体に対して第２筐体を安定的に保持できた上で、永年使用の後、第２筐体が捩じれてしまうことのない２軸ヒンジを提供せんとするにある。
【課題を解決するための手段】
【０００６】
上記課題を解決するために本発明は、ノート型パソコンのような電子機器のキーボード部を有する第１筐体に対して、ディスプレイ部を有する第２筐体を上下方向へ開閉可能かつ水平方向へ回転可能に連結するものであって、前記第１筐体に離間対向させて設けた一対の取付部材間にベースフレームを上下方向へ回転可能に取り付ける開閉用ヒンジと、前記ベースフレームの中央部に前記第２筐体を支持する支持部材を水平方向へ回転可能に取り付ける回転用ヒンジと、前記開閉用ヒンジの動作角度により前記回転用ヒンジの動作を規制するリンクブロックとから成り、このリンクブロックと前記開閉用ヒンジのヒンジシャフトを共に非回転に構成し、この非回転のヒンジシャフトと前記リンクブロックとの間を連結軸で連結したことを特徴とする。
【０００７】
その際に本発明は、前記開閉用ヒンジを軸ヒンジとチルトヒンジで構成することができる。
【０００８】
本発明はまた、前記リンクブロックを、前記ベースフレームより垂下させた保持部材に当該保持部材が回転可能となるように取り付け、前記リンクブロックの回転を前記連結軸で規制するように構成することができる。
【０００９】
そして本発明は、前記リンクブロックを取り付ける開閉用ヒンジを、チルトヒンジとし、このチルトヒンジのチルトヒンジシャフトを、前記取付部材へ非回転に取り付けることを特徴とする。
【発明の効果】
【００１０】
本発明は、以上のように構成することにより、ベースフレームの回転用ヒンジシャフトを挟んだ左右の長さを同じ長さにすることができることから、ベースフレームに回転用ヒンジシャフトを挟んで剛性の差異が生じず、かつ、ベースフレームの長さを必要なだけ得ることができるので、安定的に第２筐体を保持でき、かつ、経時変化によって第２筐体が第１筐体に対し捩じれてしまうことなく、良好な閉成状態と開成状態を保つことができるものである。
【図面の簡単な説明】
【００１１】
【図１】本発明に係る２軸ヒンジを用いたノート型パソコンにおいて、第２筐体を第１筐体に対して９０°開いた状態の正面図である。
【図２】図１の状態の側面図である。
【図３】第１筐体に対して第２筐体を閉じた状態における２軸ヒンジの側面図である。
【図４】図３の状態における２軸ヒンジの部分の正面図である。
【図５】本発明に係る２軸ヒンジの図１の状態における分解斜視図である。
【図６】図５における２軸ヒンジを後部側から見た分解斜視図である。
【図７】本発明に係る２軸ヒンジのうち、回転用ヒンジの部分の拡大斜視図である。
【図８】本発明に係る２軸ヒンジのリンクブロックの部分の動作を説明する説明図であり、（ａ）は第２筐体を第１筐体に対して９０°まで開いた状態を示し、（ｂ）は第２筐体を第１筐体に対し９０度に至らない中間角度まで開いた状態を示している。
【図９】チルトヒンジシャフトの拡大斜視図である。
【図１０】フリクションワッシャーの斜視図である。
【図１１】第１カムワッシャーの斜視図である。
【図１２】第２カムワッシャーの斜視図である。
【図１３】リンクブロックの拡大斜視図である。
【図１４】連結軸の縦断面図である。
【発明を実施するための形態】
【００１２】
以下に本発明の実施の形態を添付した図面に基づいて詳細に説明する。尚、以下の説明では電子機器の一例として、ノート型パソコンを例に挙げているが、本発明は、その他の、例えばＰＤＡ、携帯電話機、ビデオカメラ、ＤＶＤモニターなどの電子機器にも適用できることは言うまでもない。
【実施例１】
【００１３】
図１乃至図４において、指示記号１で示されたものは、ノート型パソコンであり、このノート型パソコン１は、キーボード部２ａを有する第１筐体２と、ディスプレイ部３ａを有する第２筐体３と、第１筐体２と第２筐体３とを互いに上下方向へ開閉可能にし、かつ、所定の開成角度で第２筐体３を第１筐体２に対して水平方向へ回転できるようにする、２軸ヒンジ４とで構成されている。
【００１４】
この２軸ヒンジ４は、とくに図１と図５乃至図６に示したように、第１筐体２の後端部上側に所定間隔を空けて取り付けられたところの断面略アングル形状を呈した一対の取付部材５、６の間に、断面略コの字形状を呈したベースフレーム９を上下方向へ回転可能に取り付けた通常の軸ヒンジ７とチルトヒンジ８からなる開閉用ヒンジＡと、ベースフレーム９の略中央部に第２筐体３をその取付部１１ｂへ取り付けて支持する支持部材１１を水平方向へ回転可能に取り付ける回転用ヒンジＢと、ベースフレーム９の下側に取り付けられたところの断面略アングル形状の保持部材１２に当該保持部材１２が回転可能となるように取り付けたリンクブロック１３と、このリンクブロック１３とチルトヒンジ８との間を当該リンクブロック１３が非回転となるように連結する連結軸３４とで構成されている。
【００１５】
尚、図面では、リンクブロック１３へ連結軸３４で連結する開閉用ヒンジＡはチルトヒンジ８であるが、軸ヒンジ７にしても良いことは勿論である。即ち、軸ヒンジ７のヒンジシャフト７ａとリンクブロック１３との間を連結軸３４で連結するように構成しても良い。
【００１６】
軸ヒンジ７は、とくに図１乃至図６に示したように、ベースフレーム９の一方の側板９ａに設けた軸支孔９ｃと、筒状のスペーサー９ｄと、軸支孔９ｃと筒状のスペーサー９ｄと取付部材５の側板５ａに設けた円形取付孔５ｂとを貫通して、当該円形取付孔５ｂへその端部７ｃをかしめて固定したフランジ部７ｂ付のヒンジシャフト７ａと、で構成されており、ベースフレーム９の側板９ａは取付部材５の側板５ａに対してヒンジシャフト７ａを支点に回転可能に連結されている。尚、この軸ヒンジ７の構成は一例であって、実施例のものに限定されない。その他の公知構成のヒンジに代えることができる。さらに、例えばスペーサー９ｄは省略される場合がある。また、指示記号５ｃは取付部材５を第１筺体２へ取り付けるための取付板である。さらに、ベースフレーム９の指示記号９ｇはリブ部であり、９ｈは取付ネジ孔、９ｋは軸受孔である。
【００１７】
チルトヒンジ８は、同じくとくに図１乃至図６に示したように、もう一方の取付部材６の側板６ａに設けた変形取付孔６ｂへ自身の変形取付部１４ａを挿入してかしめることによって非回転に固定されたチルトヒンジシャフト１４と、このチルトヒンジシャフト１４とベースフレーム９の側板９ｂの間に設けられたチルト機構１５とで構成されている。尚、指示記号６ｃは、取付部材６を第１筺体２へ取り付けるための取付板である。
【００１８】
チルトヒンジシャフト１４は、とくに図９に示したように、変形取付部１４ａと大径部１４ｂと変形小径軸部１４ｃとで構成され、変形小径軸部１４ｃは、大径部１４ｂ側から円形軸部１４ｄ、第１変形軸部１４ｅ、及び第２変形軸部１４ｆと第３変形軸部１４ｇとで構成されている。
【００１９】
チルト機構１５は、とくに図５乃至図６及び図１０に示したように、中心部軸方向へ円形挿通孔１６ａを有し、面部に油溜め用の小孔又は凹部１６ｂが設けられ、外縁部にはチルトヒンジシャフト１４の大径部１４ｂに設けた係止溝１４ｈと係合する係止片１６ｃを有するフリクションワッシャー１６と、軸支孔９ｆと係止孔９ｅを有するベースフレーム９の側板９ｂと、とくに図１１に示したように、外縁よりベースフレーム９の側板９ｂに設けた係止孔９ｅへ係合させる係止片１７ｂを有すると共に、その外周側に円弧状の第１凹状カム部１７ｃを有し、円形挿通孔１７ａの側に円弧状の第２凹状カム部１７ｄを有する第１カムワッシャー１７と、とくに図１２に示したように、中心部軸方向に変形挿通孔１８ａを有し、第１カムワッシャー１７の外周側に設けた第１凹状カム部１７ｃ及び円形挿通孔１７ａの側に設けた第２凹状カム部１７ｄと対向する側に設けた同じく円弧状の第１凸状カム部１８ｂ及び第２凸状カム部１８ｃを有する第２カムワッシャー１８と、それぞれ中心部軸方向に円形挿通孔１９ａを有し、一対ずつ向かい合わせに配置して成る６枚の皿バネ１９と、その中心部軸方向に設けた変形挿通孔２０ａを有し、外縁にストッパー用の係止突片２０ｂ有するストッパープレート２０と、中心部軸方向に設けた変形挿通孔２１ａと外周に設けた一対の係止溝２１ｂ、２１ｂとを有する押え用ワッシャー２１とで構成されている。
【００２０】
そして、チルトヒンジシャフト１４は、円形軸部１４ｄの部分をベースフレーム９の側板９ｂに設けた軸支孔９ｆへ挿通させ、フリクションワッシャー１６と第１カムワッシャー１７の各円形挿通孔１６ａ、１７ａを同じく円形軸部１４ｄへ挿通させている。次いで、第２カムワッシャー１８の変形挿通孔１８ａへチルトヒンジシャフト１４の第１変形軸部１４ｅを挿通係合させ、さらに、各皿バネ１９の円形挿通孔１９ａへ第３変形軸部１４ｇを挿通させている。
【００２１】
また、ストッパープレート２０の変形挿通孔２０ａと押え用ワッシャー２１の変形挿通孔２１ａへチルトヒンジシャフト１４の第３変形軸部１４ｇを挿通係合させた上で、押え用ワッシャー２１より突出した第３変形軸部１４ｇの端部をかしめることにより、所定のフリクショントルクがチルト機構１５によりベースフレーム９の側板９ｂの両側に生ずるように構成されている。
【００２２】
回転用ヒンジ１０は、とくに図５乃至図７に示したように、ベースフレーム９の中央部に設けた軸受孔９ｋへ回転可能に軸挿された筒状の回転用ヒンジシャフト２２と、この回転用ヒンジシャフト２２の端部に設けた第１変形軸部２２ａをその中央部に設けた変形取付孔１１ａへ挿通させた上で第１変形軸部２２ａの端部をかしめることによって当該回転用ヒンジシャフト２２へ固定された支持部材１１と、ベースフレーム９の下面と回転用ヒンジシャフト２２の変形フランジ部２２ｂとの間に設けられたフリクションクリック機構２３とで構成されている。フリクションクリック機構２３は、その中心部軸方向に設けた挿通孔２４ａへ回転用ヒンジシャフト２２を回転可能に挿通させ、その両端部より立ち上げた取付片２４ｂ、２４ｂの先端部をベースフレーム９に設けた係止孔９ｉ、９ｊへ挿入係止させたクリックベース部材２４と、その中心部軸方向に設けた円形挿通孔２５ａ、２６ａへ回転用ヒンジシャフト２２を回転可能に挿通させつつクリックベース部材２４の上側と下側に当該クリックベース部材２４に設けた係止孔２４ｃ、２４ｃへ自己に設けた係止片２５ｂ、２５ｂ・２６ｂ、２６ｂを挿入させた一対のクリックプレート２５、２６と、この各クリックプレート２５、２６の上部側より下部側にその中心部に設けた変形挿通孔２７ａ、２８ａ・２９ａ、３０ａへ回転用ヒンジシャフト２２の第２変形軸部２２ｃを挿入固定させて設けた各一対のスプリングプレート２７、２８・２９、３０と、上側のスプリングプレート２８とベースフレーム９との間にその中心部軸方向に設けた円形挿通孔３１ａを挿通させた上で、ベースフレーム９に固定されたフリクションプレート３１とで構成されている。尚、このフリクションプレート３１は、両側部に係止溝３１ｂ、３１ｂを有し、上方へ立設させて係止片３１ｃが設けられている。
【００２３】
さらに、ベースフレーム９の上側にはその中心部軸方向に設けた円形挿通孔３２ａへ回転可能に回転用ヒンジシャフト２２を挿通させた平ワッシャー３２と、その中心部軸方向に設けた挿通孔３３ａへ回転用ヒンジシャフトを回転可能に挿通させてなるスペーサー３３とが設けられている。
【００２４】
また、各クリックプレート２５、２６には１８０°間隔で凹部２５ｃ、２５ｃ・２６ｃ、２６ｃが設けられ、各スプリングプレート２７、２８・２９、３０には、その回転角度によって凹部２５ｃ、２５ｃ・２６ｃ、２６ｃへ嵌入する凸部２７ｂ、２７ｂ，２８ｂ、２８ｂ・２９ｂ、２９ｂ・３０ｂ、３０ｂが設けられている。尚、回転用ヒンジ１０の構成は、実施例のものに限定されない。それは要するに支持部材１１を第２筐体３と共に水平方向へ回転させる際に、適当なフリクショントルクをもって回転され、好ましくは１８０°の回転角度でクリック停止する機能を持っていれば、その構成に限定はない。
【００２５】
リンクブロック１３は、とくに図１３に示したように、軸部１３ａと、この軸部１３ａの一方の側に設けた係合突部１３ｂと、軸部１３ａに設けた周溝１３ｃと、この周溝１３ｃとの間に所定間隔を空けて設けられたフランジ部１３ｄと、このフランジ部１３ｄの外側に設けたＤカット部１３ｅとで構成されている。このリンクブロック１３は、軸部１３ａをベースフレーム９の下面に取り付けた断面アングル形状の取付板１２ａと側板１２ｂから成る保持部材１２の側板１２ｂに設けた円形挿通孔１２ｃへ挿通させつつその側板１２ｂを周溝１３ｃとフランジ部１３ｄとの間に位置させることにより、保持されている。周溝１３ｃにはＥリング１３ｆが取り付けられている。尚、このＥリング１３ｆは、これを省略してリンクブロック１３を側板１２ｂの円形挿通孔として抜け止めするように構成してもよい。尚、図５と図６に示したように、保持部材１２の下方に指示記号１２ｄで示したものは、当該保持部材１２の取付ビスであリ、指示記号１２ｅのものは取付孔である。
【００２６】
このリンクブロック１３とチルトヒンジ８との間に連結軸３４が設けられている。この連結軸３４は、とくに図５と図６及び図１４に示したように、一端部に設けた係止片３４ａ、３４ａをチルトヒンジ８の押え用ワッシャー２１の係止溝２１ｂ、２１ｂと係合させると共に、他端部に設けた係合溝３４ｂ、３４ｂへリンクブロック１３の係合突部１３ｂを挿入係合させている。尚、リンクブロック１３は、軸ヒンジ７の方へ設けてもよいことは前述した。
【００２７】
次に本発明に係る２軸ヒンジ４の作用効果について説明する。
【００２８】
第１筐体２に対して第２筐体３を閉じた図３に示した状態においては、図４に示したように、ベースフレーム９と支持部材１１は、ヒンジシャフト７ａとチルトヒンジシャフト１４を支点にして回転し、共に前側へ倒れている。この閉成状態から第２筐体３を第１筐体２に対して上方へ押して開くと、軸ヒンジ７とチルトヒンジ８が動作して第２筐体３は第１筐体２に対して開かれ、チルト機構１５により、任意の開成角度で、第２筐体３を第１筐体２に対して停止保持させておくことができる。この上下方向の開成角度はストッパープレート２０により規制され、実施例のもので最大１８０°である。
【００２９】
即ち、第２筐体３を第１筐体２に対して上下方向へ開閉させると、支持部材１１と共にベースフレーム９が開閉用ヒンジＡを介して回転し、ベースフレーム９のチルトヒンジ８側の側板９ｂの一方の側に圧接しているフリクションワッシャー１６とベースフレーム９の側板９ｂの一方の側との間、及びベースフレーム９のチルトヒンジ８側の側板９ｂの他方の側に固定させた第１カムワッシャー１７に圧接している第２カムワッシャー１８との間にフリクショントルクが発生し、第２筐体３はフリーストップに開閉される。
【００３０】
そして、第２筐体３の第１筐体２に対する、とくに図３と図４に示した閉成状態において、第１カムワッシャー１７に設けた第１凹状カム部１７ｃ及び第２凹状カム部１７ｄへ第２カムワッシャー１８に設けた第１凸状カム部１８ｂ及び第２凸状カム部１８ｃが落ち込み、ロック状態となることで、第２筐体３は第１筐体２に対して安定した閉成状態を保つものである。
【００３１】
第２筐体３の上下方向の開成角度が９０°になると、図８の（ａ）に示したように、回転用ヒンジ１０の回転用ヒンジシャフト２２が、その回転をリンクブロック１３のＤカット部１３ｅによって規制されなくなるので、第２筐体３は第１筐体２に対して水平方向へ回転することが可能となる。尚、第２筐体３の開成角度が９０°になるまでは、図８の（ｂ）に示したように、回転用ヒンジ１０の回転用ヒンジシャフト２２は、リンクブロック１３のＤカット部１３ｅに当接してその回転を規制されている。
【００３２】
この回転用ヒンジ１０による第２筐体３の水平方向への回転は、図１と図２に示したように、第２筐体３を第１筐体３に対して上下方向へ９０°開いた状態から、１８０°どちらの方向へも可能であるが、１８０°回転すると、フリクションクリック機構２３のスプリングプレート２７、２８、２９、３０の凸部２７ｂ、２７ｂ・２８ｂ、２８ｂ・２９ｂ、２９ｂ・３０ｂ、３０ｂが、クリックプレート２５、２６の凹部２５ｃ、２５ｃ・２６ｃ、２６ｃへ嵌入することにより、吸い込まれるようにして回転し、１８０°でクリック停止する。尚、この第２筺体の水平方向の回転角度は、第１筐体２側から第２筐体３側へ、筒状のヒンジシャフト２２内へ通す図示してないコードがあることから規制を受ける。好ましくは左右いずれかの方向へ１８０°回転したところでストッパー規制を受けそれ以上回転しないようにすることが好ましい。
【００３３】
また、回転用ヒンジ１０の動作時には、回転用ヒンジシャフト２２の変形フランジ部２２ｂがリンクブロック１３のＤカット部１３ｅに阻まれて、チルトヒンジ８による上下方向への開閉操作を規制されることになる。
【００３４】
尚、連結軸３４は、チルトヒンジ８の側でなく軸ヒンジ７の側に設けることができることは先に説明した。また、開閉用ヒンジＡは、軸ヒンジ７に代えて両方ともチルトヒンジとすることは可能である。
【００３５】
以上詳細に説明したように、開閉用ヒンジＡと回転用ヒンジ１０との間にリンクブロック１３を設け、このリンクブロック１３と回転用ヒンジ１０の回転用ヒンジシャフト２２との間を、連結軸３４で連結させるようにしたので、ベースフレーム９の長さを長くし、しかも回転用ヒンジ１０に対して左右同じ長さとすることができたので、大型のノート型パソコンの第２筐体３を第１筐体２に対して安定的に支持できた上で、ベースフレーム９に捩じれが生じることを防止できるものである。
【産業上の利用可能性】
【００３６】
本発明は、以上のように構成したので、比較的に大型のノート型パソコンを始めとする電子機器やＯＡ機器の第２筐体を第１筐体に対して上下方向へ開閉させたり、第２筐体を第１筐体に対して水平方向へ回転させたりすることのできる２軸ヒンジとして好適に用いられるものである。
【符号の説明】
【００３７】
１  ノート型パソコン
２  第１筐体
２ａ  キーボード部
３  第２筐体
３ａ  ディスプレイ部
４  ２軸ヒンジ
５  取付部材（右）
５ａ  側板
５ｂ  円形取付孔
５ｃ  取付板
６  取付部材（左）
６ａ  側板
６ｂ  変形取付孔
６ｃ  取付板
７  軸ヒンジ
７ａ  ヒンジシャフト
７ｂ  フランジ部  
７ｃ  端部
８  チルトヒンジ
９  ベースフレーム
９ａ  側板（右）
９ｂ  側板（左）
９ｃ  軸支孔
９ｄ  スペーサー
９ｅ  係止孔
９ｆ  軸支孔
９ｇ  リブ部
９ｈ  取付ネジ孔
９ｉ、９ｊ  係止孔
９ｋ  軸受孔
１０  回転用ヒンジ
１１  支持部材
１１ａ  変形取付孔
１２  保持部材  
１２ａ  取付板
１２ｂ  側板
１２ｃ  円形挿通孔
１２ｄ  取付ビス
１２ｅ  取付孔
１３  リンクブロック
１３ａ  軸部
１３ｂ  係合突部
１３ｃ  周溝
１３ｄ  フランジ部
１３ｅ  Ｄカット部
１３ｆ  Ｅリング
１４  チルトヒンジシャフト
１４ａ  変形取付部
１４ｂ  大径部
１４ｃ  変形小径軸部
１４ｄ  円形軸部
１４ｅ  第１変形軸部
１４ｆ  第２変形軸部
１４ｇ  第３変形軸部
１４ｈ  係止溝
１５  チルト機構
１６  フリクションワッシャー
１６ａ  円形挿通孔
１６ｂ  小孔又は凹部
１６ｃ  係止片
１７  第１カムワッシャー
１７ａ  円形挿通孔
１７ｂ  係止片
１７ｃ  第１凹状カム部（外側）
１７ｄ  第２凹状カム部（内側）
１８  第２カムワッシャー
１８ａ  変形挿通孔
１８ｂ  第１凸状カム部（外側）
１８ｃ  第２凸状カム部（内側）
１９  皿バネ
１９ａ  円形挿通孔
２０  ストッパープレート
２０ａ  変形挿通孔
２０ｂ  係止突片
２１  押え用ワッシャー
２１ａ  変形挿通孔
２１ｂ  係止溝
２２  回転用ヒンジシャフト
２２ａ  第１変形軸部
２２ｂ  変形フランジ部
２２ｃ  第２変形軸部
２３  フリクションクリック機構
２４  クリックベース部材
２４ａ  挿通孔
２４ｂ  取付片
２４ｃ  係止孔
２５  クリックプレート
２５ａ  円形挿通孔
２５ｂ  係止片
２５ｃ  凹部
２６  クリックプレート
２６ａ  円形挿通孔
２６ｂ  係止片
２６ｃ  凹部
２７  スプリングプレート
２７ａ  変形挿通孔
２７ｂ  凸部
２８  スプリングプレート
２８ａ  変形挿通孔
２８ｂ  凸部
２９  スプリングプレート
２９ａ  変形挿通孔
２９ｂ  凸部
３０  スプリングプレート
３０ａ  変形挿通孔
３０ｂ  凸部
３１  フリクションプレート
３１ａ  円形挿通孔
３１ｂ  係止溝
３１ｃ  係止片
３２  平ワッシャー
３２ａ  円形挿通孔
３３  スペーサー
３３ａ  挿通孔
３４  連結軸
３４ａ  係止片
３４ｂ  係合溝
【図１】
0005535039.tif 000002
【図２】
0005535039.tif 000003
【図３】
0005535039.tif 000004
【図４】
0005535039.tif 000005
【図５】
0005535039.tif 000006
【図６】
0005535039.tif 000007
【図７】
0005535039.tif 000008
【図８】
0005535039.tif 000009
【図９】
0005535039.tif 000010
【図１０】
0005535039.tif 000011
【図１１】
0005535039.tif 000012
【図１２】
0005535039.tif 000013
【図１３】
0005535039.tif 000014
【図１４】
0005535039.tif 000015